(57)【要約】    【課題】、磁気カードリーダの読み取りヘッドに対してアンテナ部を有する板状部材を正確かつ確実に位置決めさせることができる磁気カードリーダ用アダプタ装置を提供する。    【解決手段】装置本体２の下面に磁気カードリーダの磁気読み取りヘッドに対し読み取り可能な磁気信号を送信する板状の板状部材３を配設した磁気カードリーダ用アダプタ装置１において、前記装置本体２に、スリットに沿って磁気カードリーダ上を移動させるための回転体１２と、磁気磁気カードリーダに対する装置本体２の相対位置を固定するためスリット内に圧入される圧入部材２０とを備えるようにした。    【選択図】  図１
2005258560.tif 000002
【特許請求の範囲】
【請求項１】
装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、
前記装置本体に、前記スリットに沿って磁気カードリーダ上を移動させるための回転体を備える磁気カードリーダ用アダプタ装置。
【請求項２】
前記回転体の周面の一部は前記装置本体の表面から露出していることを特徴とする請求項１に記載の磁気カードリーダ用アダプタ装置。
【請求項３】
装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、
前記磁気カードリーダに対する前記装置本体の相対位置を固定するため前記スリット内に圧入される圧入部材を備える磁気カードリーダ用アダプタ装置。
【請求項４】
装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、
前記装置本体に、前記スリットに沿って磁気カードリーダ上を移動させるための回転体と、
前記磁気カードリーダに対する前記装置本体の相対位置を固定するため前記スリット内に圧入される圧入部材とを備える磁気カードリーダ用アダプタ装置。
【請求項５】
前記回転体の周面の一部は前記装置本体の表面から露出していることを特徴とする請求項４に記載の磁気カードリーダ用アダプタ装置。
【請求項６】
装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、
前記装置本体に対する前記板状部材の長さを変更可能とする長さ調整手段を備える磁気カードリーダ用アダプタ装置。
【請求項７】
前記長さ調整手段は、前記板状部材を両側から上下方向へ案内するガイドと、該板状部材に形成された長孔と、前記装置本体に形成され前記長孔に貫通し前記板状部材を上下方向にスライド自在に支承する凸部であることを特徴とする請求項６に記載の磁気カードリーダ用アダプタ装置。
【請求項８】
装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、
前記装置本体に、前記スリットに沿って磁気カードリーダ上を移動させるための回転体と、
前記磁気カードリーダに対する前記装置本体の相対位置を固定するため前記スリット内に圧入される圧入部材と、
前記装置本体に対する前記板状部材の長さを変更可能とする長さ調整手段とを備える磁気カードリーダ用アダプタ装置。
【発明の詳細な説明】
【技術分野】
【０００１】
この発明は、キャッシュレジスタ等の端末機に配設された磁気カードリーダに差し込んだ状態で磁気カード以外のＩＣカード、あるいは携帯電話等のモバイル機器等に記憶された情報を磁気カードリーダに入力できるようにした磁気カードリーダ用アダプタ装置に関する。
【背景技術】
【０００２】
近年、磁気カードに記録した情報を磁気カードリーダを介して読み取るという従来の磁気カードシステムに対して、情報をＩＣカードや携帯電話等のモバイル機器に記憶させ、ＩＣカードやモバイル機器と情報の授受が可能な読み取り装置を介してＩＣカードやモバイル機器に記憶させた情報を読み取るシステムが提案されている。
【０００３】
ＩＣカードやモバイル機器は、記憶できる情報が磁気カードと比較して大きく、さらにセキュリティーが優れるという特徴があり、磁気カードの代わりにＩＣカードやモバイル機器に情報を記憶させ、情報の授受を行なうようなシステムへ移行しつつある。
【０００４】
例えば特許文献１に示されるように、クレジットカード契約者のＩＤを記憶し、パスワード等による本人認証機能をもつ携帯電話によって、クレジットカード会社からその携帯電話に電話をかけることにより本人確認を行なうようなクレジット決済サービス方法が提案されている。
【０００５】
上記提案のクレジット決済サービス方法は、顧客が購入商品の決済を行なう場合に、顧客の携帯電話をクレジット取引端末に接続することにより、クレジット会社のホストコンピュータから顧客の携帯電話に本人確認の電話をかけて本人確認をするようにしたクレジット決済サービス方法である。
【特許文献１】特開２００３−０３０５５９公報
【発明の開示】
【発明が解決しようとする課題】
【０００６】
しかしながら、従来の磁気カードを用いた決済サービスは広く普及されており、ＩＣカードや携帯電話等のモバイル機器に記憶された情報が既存の磁気カードを用いた決済サービスシステムで決済できるような装置の開発が望まれている。
【０００７】
そこで、既存の磁気カードを用いた決済サービスシステムの磁気カードリーダを用いてＩＣカードや携帯電話等のモバイル機器に記憶した情報を読み取れるようにした磁気カードリーダ用アダプタ装置が提案されている。
【０００８】
この従来の磁気カードリーダ用アダプタ装置は、通常の磁気カードと略同様な大きさ形状であって、磁気カードリーダの読み取りヘッドに対して情報を伝達させるアンテナ部を有する板状部材を有している。
【０００９】
そして、この磁気カードリーダ用アダプタ装置を使用する際は板状部材を磁気カードリーダのスリット内に嵌挿させ、その後、当該板状部材のアンテナ部を磁気カードリーダの読み取りヘッドに対して情報を正確かつ確実に伝達される位置に位置決めして情報を読み取らせるようにしている。
【００１０】
しかしながら、上述した従来の磁気カードリーダ用アダプタ装置では、オペレータが板状部材を磁気カードリーダのスリット内に単に嵌挿し、これにより磁気カードリーダの読み取りヘッドに対し板状部材のアンテナ部を位置決めさせるだけであるから、アンテナ部を読み取りヘッドに対し情報を正確かつ確実に読み取らせる位置に位置決めさせることが難しく、このため従来の磁気カードリーダ用アダプタ装置では情報の伝達ミスが発生する虞があった。
【００１１】
この発明は上述した事情に鑑み、磁気カードリーダの読み取りヘッドに対してアンテナ部を有する板状部材を正確かつ確実に位置決めさせることができる磁気カードリーダ用アダプタ装置を提供することを目的とする。
【課題を解決するための手段】
【００１２】
上述した課題を解決するため、この出願の第１の発明は、装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、前記装置本体に、前記スリットに沿って磁気カードリーダ上を移動させるための回転体を備えるようにしている。
【００１３】
また、この出願の第２の発明は、装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、前記磁気カードリーダに対する前記装置本体の相対位置を固定するため前記スリット内に圧入される圧入部材を備えるようにしている。
【００１４】
また、この出願の第３の発明は、装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、前記装置本体に、前記スリットに沿って磁気カードリーダ上を移動させるための回転体と、前記磁気カードリーダに対する前記装置本体の相対位置を固定するため前記スリット内に圧入される圧入部材とを備えるようにしている。
【００１５】
また、この出願の第４の発明は、装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、前記装置本体に対する前記板状部材の長さを変更可能とする長さ調整手段を備えるようにしている。
【００１６】
また、この出願の第５の発明は、装置本体と、該装置本体に取り付けられた板状部材を備え、該板状部材はアンテナ部を有し、前記装置本体が磁気カードリーダ上に載置された際に前記板状部材が磁気カードリーダのスリット内に挿入されることにより前記アンテナ部が磁気カードリーダの磁気ヘッドに対して読み取り可能な磁気信号を送出するようにした磁気カードリーダ用アダプタ装置において、前記装置本体に、前記スリットに沿って磁気カードリーダ上を移動させるための回転体と、前記磁気カードリーダに対する前記装置本体の相対位置を固定するため前記スリット内に圧入される圧入部材と、前記装置本体に対する前記板状部材の長さを変更可能とする長さ調整手段とを備えるようにしている。
【発明の効果】
【００１７】
上述した、磁気カードリーダ用アダプタ装置によると、装置本体に配設された回転体、あるいは圧入部材をオペレータが操作し、また長さ調整手段により装置本体を介して板状部材をスリット内の任意の位置に位置決めすることにより、板状部材をスリット内の任意の位置に固定し、これにより板状部材を磁気カードリーダの磁気読み取りヘッドに対し情報を正確かつ確実に伝達する位置へ位置決めし、また位置決め固定させることができる。このため板状部材のアンテナ部から磁気カードリーダの磁気ヘッドに対して情報を正確かつ確実に伝達して、磁気カードリーダの読み取りミスを可及的に減少させることができる。
【発明を実施するための最良の形態】
【００１８】
以下、この発明に係る磁気カードリーダ用アダプタ装置の一実施例を詳述する。
【００１９】
図１はこの発明に係る磁気カードリーダ用アダプタ装置（以下単にアダプタ装置と言う）１の概念斜視図である。
【００２０】
このアダプタ装置１は、ＩＣカードや携帯電話の携帯電話等のモバイル機器から入力されたデータに基づく磁気信号を生成する図示せぬ制御基板等からなる制御装置が配設されたボックス形状の装置本体２と、この装置本体２の下面に配設され、生成された磁気信号を後述する磁気カードリーダの磁気読み取りヘッドへ発信するアンテナ部を有するカード形状の板状部材３とから構成されている。
【００２１】
一方、上述したアダプタ装置１のうち、装置本体２を構成するボックス状の筐体４の略中央部分で、板状部材３の上方に位置する部分には、装置本体２を後述する磁気カードリーダのスリットに沿って任意の位置に移動させる移動手段１０が配設されている。
【００２２】
この移動手段１０は、略矩形状の孔１１内に回動自在に支承され、周面がゴム等の弾性体で形成された回転体であるローラ１２からなり、当該ローラ１２が露出する筐体４の上面４ａにはオペレータがその回転操作をしやすいように、楕円状の凹部１３が形成されている。なお、このローラ１２の周面はアダプタ装置１の底面図で示す図２のように、筐体４の下面４ｂから露出している。
【００２３】
一方、図１で示すように、上述した筐体４の底面４ｂの両端部側であって、前記板状部材３の両側に位置する部分には、装置本体１を後述する磁気カードリーダのスリット内における任意の位置に位置決め固定させる圧入部材２０が一対配設されている。
【００２４】
この圧入部材２０は、図２および図１の要部断面図で示す図３のように、ネジ２１および階段形状の支持プレート２２により、その一端２３ａが固定され、他端２３ｂが自由端となっているゴム等の弾性体で形成された舌片２３から構成され、後述する固定プレートの嵌挿により装置本体２をスリットの任意の位置に固定するものである。
【００２５】
なお、図１に示すように、装置本体２を構成するボックス形状の筐体４の上面４ａには、上述した固定プレートを嵌挿させるための凹部２４およびスリット２５が形成されている。
【００２６】
なお、図１に示すように、上述した装置本体２を構成する筐体４の側面には、オペレータが筐体４を把持し、ローラ１２を操作し易いよう当該ローラ１２の近傍に凹部４ｃが形成されている。
【００２７】
次に、上述したアダプタ装置１の作用を説明し、併せて構成をより詳細に説明する。
【００２８】
まず、図４で示すように、レジスター３０等の端末装置の側方に配設された磁気カードリーダ４０のスリット４１内に板状部材３を嵌挿させる。
【００２９】
この板状部材３を嵌挿した状態では、筐体４に配設されたローラ１２の周面は、レジスター３０の表面３０ａに密着し、また圧入部材２０の舌片２３は、レジスター３０の表面３０ａに展開し、延設されている。
【００３０】
この状態で、図５に示すように、オペレータが移動手段１０のローラ１２を矢印Ａのように回動操作することにより、矢印Ｂ，Ｃで示すように装置本体２の筐体４をスリット４１に沿って移動させ、これにより板状部材３のアンテナ部を磁気カードリーダ４０内に配設された、図示せぬ磁気ヘッドに対して簡単に、また正確かつ確実に情報を伝達させる位置に移動させることができる。
【００３１】
このように、移動手段１０のローラ１２を介して装置本体２を任意の位置に移動させた後、図６で示すように、舌片形状の固定プレート２６を凹部２４のスリット２５内に矢印Ｄの如く嵌挿させる。なおこの固定プレート２６はプラスチック等の合成樹脂で形成され、後端には当該固定プレート２６の着脱操作が容易なように着脱冶具係合用の孔２６ａが形成されている。
【００３２】
このように、固定プレート２６をスリット２５内に嵌挿させると、図７の要部断面図で示すように、固定プレート２６のスリット４１内への嵌挿により弾性体の舌片２３の自由端２３ｂが、スリット４１内に引き込まれる。
【００３３】
このように、固定プレート２６の嵌挿により弾性体の舌片２３がスリット４１内に引き込まれると、固定プレート２６の板厚により弾性体の舌片２３の表面２３ｃがスリット４１の周面４１ａに強固に押し付られ、その摩擦力により装置本体２である筐体４を介して板状部材３はスリット４１内の任意の位置、即ち磁気カードリーダ４０の図示せぬ磁気ヘッドに対して正確かつ確実に情報を送信する位置に強固に位置決め固定されることとなる。
【００３４】
従って、オペレータの身体の一部等が筐体４に当たった場合でも、その位置から筐体４がずれて磁気データの送信が妨げられることもなく、一旦移動手段１０および圧入部材２０をオペレータが操作して、アダプタ装置１の板状部材３をスリット４１内の磁気ヘッドに対して磁気データを正確かつ確実に送信する位置に位置決め固定すれば、長期にわたってＩＣカードや携帯電話等のモバイル機器に記憶された情報の磁気データを磁気カードリーダ４０に対して正確かつ確実に伝達させることができることとなる。
【００３５】
なお、上記実施例では、圧入部材２０を固定プレート２６と弾性体の舌片２３から構成するようにしたが、この発明は上記実施例に限定されることなく、例えば少なくともスリット４１に対して嵌挿可能な幅であって、形状は棒状や、スリット状でも良く、またスリット４１内への圧入によって、形状が収縮可能な弾性体であっても良い。また圧入部材２０の表面がゴム状の弾性体であっても良い。
【００３６】
さらに、圧入部材２０は実施例では装置本体２のスリット２５内に嵌挿させるようにしたが、この発明は上記実施例に限定されることなく、装置本体２の両サイドから挟み込んで磁気カードリーダ４０のスリット４１内に圧入して固定させるようにしても良い。
【００３７】
さらに、圧入部材２０は実施例では一対使用するようにしたが、勿論１つでも良い。
【００３８】
また舌片２３等の弾性部材をカードリーダ４０のスリット４１内へ先に挿入しておいて、後からスリット４１の幅よりも薄い固定プレート２６等を挿入しても良い。
【００３９】
さらに、上記実施例では、圧入部材２０を構成する弾性体の舌片２３は一端が装置本体２に固定されているが、勿論装置本体２とは独立して配置しても良く、この場合、固定プレート２６と一緒に弾性体の舌片２３を磁気カードリーダ４０のスリット４１内へ圧入すればよい。
【００４０】
なお、上記実施例では、アダプタ装置１の装置本体２に移動手段１０と圧入部材２０の双方を配設する場合について詳述したが、この発明は上記実施例に限定されることなく、アダプタ装置１の装置本体２に対して、移動手段１０あるいは圧入部材２０のいずれか一方を配設するようにしても良い。
【００４１】
なお、上記実施例では、板状部材３をアダプタ装置１の装置本体２に固定して、装置本体２に対する長さを固定するようにしたが、この発明は上記実施例に限定されることなく、図１と同一部分を同一符号で示す図８の要部断面斜視図で示すように、アダプタ装置１の装置本体２に、当該装置本体２に対する板状部材３の長さを変更可能とする長さ調整手段５０を配設するようにしても良い。
【００４２】
この長さ調整手段５０は、前記装置本体２内に形成され、前記板状部材３を両側から挟み矢印Ｄの如く上下方向へ案内する一対のガイド５１，５２と、前記板状部材３の上側両端に穿設された一対の長孔５３，５４と、前記装置本体２内に突設され対応する前記一対の長孔５３，５４にそれぞれ貫通し、前記板状部材３を矢印Ｄの如く上下方向にスライド自在に支承する一対の凸部５５，５６とから構成されている。
【００４３】
なお、実施例の長さ調整手段５０には、板状部材３を常時下方へ付勢する一対のコイルバネ５７，５８からなるバネ手段６０がさらに配設されている。
【００４４】
このように、板状部材３の装置本体２に対する長さを調整する長さ調整手段５０を配設すると、磁気カードリーダ４０のスリット４１（図６等を参照）の深さが異なるものであっても、装置本体２が磁気カードリーダ４０の上面に必ず接触した状態で、取付け可能となり、このためアダプタ装置１を安定して磁気カードリーダ４０に取り付けることができることとなる。
【００４５】
またバネ手段６０をさらに配設すると、調整不要で確実にスリット４１の溝底部に板状部材３を当接させ、かつ装置本体２は磁気カードリーダ４０の上面に設置された状態となるから板状部材３の長さの調整が不要となり磁気カードリーダ４０への取り付け作業が容易となる。
【００４６】
即ち、従来では、磁気カードリーダのスリットの深さは機種によって、異なっており、このため板状部材３の長さはスリットの深さが最も深いものに対応した形状であったが、そうすると、スリットの深さが浅い磁気カードリーダに対して板状部材を挿入すると、磁気カードリーダの上面とアダプタ装置の下面との間に隙間ができ、不安定な取り付けとなる場合があったが、これが解消されることとなる。
【００４７】
また磁気カードリーダのスリットの深さは機種によって異なるが溝の底面から磁気ヘッドまでの距離は一定であるから、装置本体２がレジ表面３０ａに密着した状態で板状部材をバネによつて溝底面に当接させることで、磁気カードリーダの磁気ヘッドの上下方向の位置調整を不用とし、確実に磁気ヘッドへ板状部材のアンテナ部を配置することができる。
【００４８】
また上記各実施例では、回転体として、ローラ１２を適用したが、この発明は上記実施例に限定されることなく、回転体であれば、例えばボールでも良い。
【００４９】
また、上述した回転体であるローラ１２やボールはグリップ性があって、さらにオペレータの指で押さないと回転しない程度の負荷をかけないと容易に転がらないように配設することが好ましい。これにより、指で移動手段１０を操作し、微小なアダプタ装置１の移動を可能にして、その取付け位置の微調整が可能となる。
【産業上の利用可能性】
【００５０】
以上説明したように、この発明は、レジスター等の端末機に配設された磁気カードリーダの磁気データ読み取りヘッドに対し、磁気情報を正確かつ確実に送信する位置にアンテナ部を有する板状部材を位置決めさせることができる磁気カードリーダ用アダプタ装置に適している。
【図面の簡単な説明】
【００５１】
【図１】図１はこの発明に係る磁気カードリーダ用アダプタ装置の概念斜視図。
【図２】図２はこの発明に係る磁気カードリーダ用アダプタ装置の底面図。
【図３】図３は図１の要部断面図。
【図４】図４はこの発明に係る磁気カードリーダ用アダプタ装置を磁気カードリーダに取付けた状態を示す要部破断斜視図。
【図５】図５はこの発明に係る磁気カードリーダ用アダプタ装置を磁気カードリーダに取付けた状態を示す概念斜視図。
【図６】図６はこの発明に係る磁気カードリーダ用アダプタ装置を磁気カードリーダに取付けた状態を示す要部破断斜視図。
【図７】図７はこの発明に係る磁気カードリーダ用アダプタ装置を磁気カードリーダに取付けた状態を示す要部破断斜視図。
【図８】図８はこの発明に係る磁気カードリーダ用アダプタ装置の他の実施例を示す要部断面斜視図。
【符号の説明】
【００５２】
１…磁気カードリーダ用アダプタ装置
２…装置本体
３…板状部材
１２…ローラ（回転体）
２０…圧入部材
２３…舌片
２６…固定プレート
４０…磁気カードリーダ
４１…スリット  
５０…長さ調整手段
５１，５２…ガイド
５３，５４…長孔
５５，５６…凸部
６０…バネ手段
【図１】
2005258560.tif 000003
【図２】
2005258560.tif 000004
【図３】
2005258560.tif 000005
【図４】
2005258560.tif 000006
【図５】
2005258560.tif 000007
【図６】
2005258560.tif 000008
【図７】
2005258560.tif 000009
【図８】
2005258560.tif 000010